(57)【特許請求の範囲】
【請求項１】
頂壁(２)外周から外周壁(３)を垂下するキャップ本体(１)と、該キャップ本体後部へヒンジ(11)を介して付設した補助蓋(13)とからなり、
キャップ本体上端部へ補助蓋の周壁(12)を嵌合させることでキャップ本体頂壁が有する収納物取出し孔を密閉可能となし、
又キャップ本体外周壁のうち下端部を除く部分の左右両部を、割溝(８)，(８)穿設により、弾性変形可能な２つの押釦(９)，(９)に形成し、かつこれ等押釦の上端部外面へ付設した係合爪(10),(10) を補助蓋周壁に設けた係止部(16),(16) へ係合させて補助蓋の開蓋が不能となし、又該状態から両押釦を弾性に抗して内方へ変位させることで係合爪(10),(10)が係止部(16),(16) から外れて補助蓋(13)の開蓋が可能とした補助蓋付き安全キャップにおいて、
上記補助蓋周壁(12)左右両部の下端部を、切離し線横設により、内外両方向へ弾性反転可能な一対の弯曲帯板(19),(19) に形成し、これら弯曲帯板の両端部を肉薄ヒンジ(18),(18) を介して補助蓋周壁に接続し、これ等弯曲帯板を内方へ弾性反転させた状態ではこれ等弯曲帯板上面が係止部(16),(16) を形成し、又外方へ反転させた状態では弯曲帯板上面への係合爪(10),(10)の係止が解除されるように形成したことを特徴とする補助蓋付き安全キャップ。
【請求項２】
頂壁(２)外周から外周壁(３)を垂下するキャップ本体(１)と、該キャップ本体後部へヒンジ(11)を介して付設した補助蓋(13)とからなり、
キャップ本体上端部へ補助蓋の周壁(12)を嵌合させることでキャップ本体頂壁が有する収納物取出し孔を密閉可能となし、
又キャップ本体外周壁のうち下端部を除く部分の左右両部を、割溝(８)，(８)穿設により、弾性変形可能な２つの押釦(９)，(９)に形成し、かつこれ等押釦の上端部外面へ付設した係合爪(10),(10) を補助蓋周壁に設けた係止部(16),(16) へ係合させて補助蓋の開蓋が不能となし、又該状態から両押釦を弾性に抗して内方へ変位させることで係合爪(10),(10)が係止部(16),(16) から外れて補助蓋(13)の開蓋が可能とした補助蓋付き安全キャップにおいて、
上記補助蓋周壁の左右両部を、上部に切離し線を横設しかつ該左右両部の前後に肉薄ヒンジ(18),(18) を縦設することで、内外両方向へ弾性反転可能な２つの弯曲板(20),(20) に形成し、かつこれ等弯曲板に横孔(21),(21) を穿設して補助蓋内方へ弾性反転させた状態では横孔(21),(21) が上記係止部(16),(16) を形成し、又外方へ反転させた状態では横孔(21),(21) への係合爪(10),(10) の係止が解除されるように形成した
ことを特徴とする補助蓋付き安全キャップ。
【請求項３】
頂壁(２)外周から外周壁(３)を垂下するキャップ本体(１)と、該キャップ本体後部へヒンジ(11)を介して付設した補助蓋(13)とからなり、
キャップ本体上端部へ補助蓋の周壁(12)を嵌合させることでキャップ本体頂壁が有する収納物取出し孔を密閉可能となし、
又キャップ本体外周壁のうち下端部を除く部分の一部を、割溝(８)穿設により、弾性変形可能な１つの押釦(９)に形成し、かつ該押釦の上端部外面へ付設した係合爪(10)を補助蓋周壁に設けた係止部(16)へ係合させて補助蓋の開蓋が不能となし、又該状態から押釦を弾性に抗して内方へ変位させることで係合爪(10)が係止部(16)から外れて補助蓋(13)の開蓋が可能とした補助蓋付き安全キャップにおいて、
上記補助蓋周壁(12)一部の下端部を、切離し線横設により、内外両方向へ弾性反転可能な弯曲帯板(19)に形成し、該弯曲帯板の両端部を肉薄ヒンジ(18),(18) を介して補助蓋周壁に接続し、該弯曲帯板を内方へ弾性反転させた状態では該弯曲帯板上面が係止部(16)を形成し、又外方へ反転させた状態では弯曲帯板上面への係合爪(10)の係止が解除されるように形成した
ことを特徴とする補助蓋付き安全キャップ。
【請求項４】
頂壁(２)外周から外周壁(３)を垂下するキャップ本体(１)と、該キャップ本体後部へヒンジ(11)を介して付設した補助蓋(13)とからなり、キャップ本体上端部へ補助蓋の周壁(12)を嵌合させることでキャップ本体頂壁が有する収納物取出し孔を密閉可能となし、
又キャップ本体外周壁のうち下端部を除く部分の一部を、割溝(８)穿設により、弾性変形可能な１つの押釦(９)に形成し、かつこの押釦の上端部外面へ付設した係合爪(10)を補助蓋周壁に設けた係止部(16)へ係合させて補助蓋の開蓋が不能となし、又該状態から押釦を弾性に抗して内方へ変位させることで係合爪(10)が係止部(16)から外れて補助蓋(13)の開蓋が可能とした補助蓋付き安全キャップにおいて、
上記補助蓋周壁の一部を、上部に切離し線を横設することにより、内外両方向へ弾性反転可能な１つの弯曲板(20)に形成し、該弯曲板の両端部を肉薄ヒンジ(18),(18) を介して補助蓋周壁に接続し、かつこの弯曲板に横孔(21)を穿設して補助蓋内方へ弾性反転させた状態では横孔(21)が上記係止部(16)を形成し、又外方へ反転させた状態では横孔(21)への係合爪(10)の係止が解除されるように形成した
ことを特徴とする補助蓋付き安全キャップ。
【発明の詳細な説明】
【０００１】
【発明の属する技術分野】
本発明は、補助蓋付きの安全キャップに関する。
【０００２】
【従来の技術】
特開平10-264953 号が示すように、頂壁外周から外周壁を垂下するキャップ本体と、該キャップ本体後部へヒンジを介して付設した補助蓋とからなり、キャップ本体上部を小外径部とし、かつキャップ本体左右両部の外周壁下端部を除く部分を割溝穿設により押釦に形成し、これ等両押釦をキャップ本体内方へ押込むと、上記小外径部へ嵌合させた補助蓋周壁が有する係止部から、押釦の上端部外面へ付設された係合爪が外れて、該状態でだけキャップ本体上部から補助蓋を開蓋することが可能とした合成樹脂製の補助蓋付き安全キャップが知られている。
【０００３】
【発明が解決しようとする課題】
本発明は子供等による誤使用防止と、誤使用のおそれのない者に対する使い易さとを両立させることを目的とする。
【０００４】
【課題を解決するための手段】
第一の手段として頂壁２外周から外周壁３を垂下するキャップ本体１と、該キャップ本体後部へヒンジ11を介して付設した補助蓋13とからなり、
キャップ本体上端部へ補助蓋の周壁12を嵌合させることでキャップ本体頂壁が有する収納物取出し孔を密閉可能となし、
又キャップ本体外周壁のうち下端部を除く部分の左右両部を、割溝８，８穿設により、弾性変形可能な２つの押釦９，９に形成し、かつこれ等押釦の上端部外面へ付設した係合爪10,10 を補助蓋周壁に設けた係止部16,16 へ係合させて補助蓋の開蓋が不能となし、又該状態から両押釦を弾性に抗して内方へ変位させることで係合爪10,10が係止部16,16 から外れて補助蓋13の開蓋が可能とした補助蓋付き安全キャップにおいて、
上記補助蓋周壁12左右両部の下端部を、切離し線横設により、内外両方向へ弾性反転可能な一対の弯曲帯板19,19に形成し、これら弯曲帯板の両端部を肉薄ヒンジ18,18を介して補助蓋周壁に接続し、これ等弯曲帯板を内方へ弾性反転させた状態ではこれ等弯曲帯板上面が係止部16,16 を形成し、又外方へ反転させた状態では弯曲帯板上面への係合爪(10),(10)の係止が解除されるように形成した。
【０００５】
第２の手段として頂壁２外周から外周壁３を垂下するキャップ本体１と、該キャップ本体後部へヒンジ11を介して付設した補助蓋13とからなり、
キャップ本体上端部へ補助蓋の周壁12を嵌合させることでキャップ本体頂壁が有する収納物取出し孔を密閉可能となし、
又キャップ本体外周壁のうち下端部を除く部分の左右両部を、割溝８，８穿設により、弾性変形可能な２つの押釦９，９に形成し、かつこれ等押釦の上端部外面へ付設した係合爪10,10 を補助蓋周壁に設けた係止部16,16 へ係合させて補助蓋の開蓋が不能となし、又該状態から両押釦を弾性に抗して内方へ変位させることで係合爪10,10が係止部16,16 から外れて補助蓋13の開蓋が可能とした補助蓋付き安全キャップにおいて、
上記補助蓋周壁の左右両部を、上部に切離し線を横設しかつ該左右両部の前後に肉薄ヒンジ18,18 を縦設することで、内外両方向へ弾性反転可能な２つの弯曲板20,20 に形成し、かつこれ等弯曲板に横孔21,21 を穿設して補助蓋内方へ弾性反転させた状態では横孔21,21 が上記係止部16,16 を形成し、又外方へ反転させた状態では横孔21,21への係合爪10,10の係止が解除されるように形成した。
【０００６】
第３の手段として頂壁２外周から外周壁３を垂下するキャップ本体１と、該キャップ本体後部へヒンジ11を介して付設した補助蓋13とからなり、
キャップ本体上端部へ補助蓋の周壁12を嵌合させることでキャップ本体頂壁が有する収納物取出し孔を密閉可能となし、
又キャップ本体外周壁のうち下端部を除く部分の一部を、割溝８穿設により、弾性変形可能な１つの押釦９に形成し、かつ該押釦の上端部外面へ付設した係合爪10を補助蓋周壁に設けた係止部16へ係合させて補助蓋の開蓋が不能となし、又該状態から押釦を弾性に抗して内方へ変位させることで係合爪10が係止部16から外れて補助蓋13の開蓋が可能とした補助蓋付き安全キャップにおいて、
上記補助蓋周壁12一部の下端部を、切離し線横設により、内外両方向へ弾性反転可能な弯曲帯板19に形成し、該弯曲帯板の両端部を肉薄ヒンジ18,18を介して補助蓋周壁に接続し、該弯曲帯板を内方へ弾性反転させた状態では該弯曲帯板上面が係止部16を形成し、又外方へ反転させた状態では弯曲帯板上面への係合爪10の係止が解除されるように形成した。
【０００７】
第４の手段として頂壁２外周から外周壁３を垂下するキャップ本体１と、該キャップ本体後部へヒンジ11を介して付設した補助蓋13とからなり、キャップ本体上端部へ補助蓋の周壁12を嵌合させることでキャップ本体頂壁が有する収納物取出し孔を密閉可能となし、
又キャップ本体外周壁のうち下端部を除く部分の一部を、割溝８穿設により、弾性変形可能な１つの押釦９に形成し、かつこの押釦の上端部外面へ付設した係合爪10を補助蓋周壁に設けた係止部16へ係合させて補助蓋の開蓋が不能となし、又該状態から押釦を弾性に抗して内方へ変位させることで係合爪10が係止部16から外れて補助蓋13の開蓋が可能とした補助蓋付き安全キャップにおいて、
上記補助蓋周壁の一部を、上部に切離し線を横設することにより、内外両方向へ弾性反転可能な１つの弯曲板20に形成し、該弯曲板の両端部を肉薄ヒンジ18,18を介して補助蓋周壁に接続し、かつこの弯曲板に横孔21を穿設して補助蓋内方へ弾性反転させた状態では横孔21が上記係止部16を形成し、又外方へ反転させた状態では横孔21への係合爪10の係止が解除されるように形成した。
【０００８】
【発明の実施の形態】
まず従来公知の構造について簡単に説明すると、１はキャップ本体で、該本体は頂壁２外周から外周壁３を垂下する。又頂壁下面からは図１、図３のように容器体口頸部嵌合用の内周壁４を垂下している。図示例でその内周壁は口頸部内面へ嵌合させるシール筒4aと、口頸部外面へ嵌合させる包持筒4bとで形成している。又キャップ本体の上端部は上向き段部５を介して小外径部６としており、頂壁２の前部からは収納物取出し孔としてのノズル７を起立させている。
【０００９】
キャップ本体の左右両部は、外周壁３の下端部を除く部分へ割溝８，８を穿設することで、上記上向き段部形成部分5aと、該部上方の小外径部形成部分6aの外面と上面とを外周壁形成部分3a上方に有する押釦９，９を形成し、かつ両押釦の上端部外面へ係合爪10,10 を横設している。
【００１０】
上記キャップ本体の後部へは肉薄ヒンジ11を介して上記小外径部６へ周壁12を嵌合させる補助蓋13を付設している。該補助蓋は頂板14外周から周壁12を垂下しており、又その頂板下面から上記ノズル７へ嵌合させるためのシール筒15を垂下し、ヒンジ11を中心として回動させることで周壁12を小外径部６外面へ、かつシール筒15をノズル７外面へ、それぞれ着脱させることが可能としている。更に周壁12の左右両部へは係止部16,16 を設けており、補助蓋閉蓋時に既述係合爪10,10 がその係止部へ係合して補助蓋13の開蓋が不能となり、該状態から押釦９，９上部をキャップ本体内方へ弾性変形させて押込むことで、係合爪10,10 が図５のように抜出し、よって開蓋が可能としている。
【００１１】
図１から図５は、本願発明の第１実施形態を示す。本願発明では、図３と図４とが示すように、補助蓋周壁12の左右両部の下端部を、切離し線17横設により前後両端部に肉薄ヒンジ18,18 を有して内外両方向への弾性反転が可能な弯曲帯板19,19 に形成し、かつこれ等両弯曲帯板19,19 を図２が示すように補助蓋内方へ弾性反転させ、該弾性反転する両弯曲帯板の上面を係止部16,16 として図１のようにその上面へ既述係合爪10,10 を係合させた。
【００１２】
該図１の状態から図５のように押釦９，９をキャップ本体１内方側へ押込みすることで、係合爪10,10 は係止部16,16 から外れ、従って補助蓋13を開蓋することが可能である。
【００１３】
両弯曲帯板19,19 は、図３、図４が示すように外方へ弾性反転する状態で図３のようにそれ等上面へ係合爪10,10 が係合しないよう設ける。
【００１４】
図６から図８は第２実施形態を示すもので、該実施形態にあっては、補助蓋周壁12の左右両部の全体を、上部に切離し線を横設し、かつ該左右両部の前後に肉薄ヒンジ11,11 を縦設することで、内外両方向へ弾性反転可能な弯曲板20,20 とし、これ等両弯曲板にそれぞれ横孔21,21 を横設してこれ等横孔を既述係止部16,16 とした。図６が示すように両弯曲板20,20 を補助蓋内方へ弾性反転させた状態で係合爪10,10 は横孔21,21 内へ嵌合して補助蓋13の開蓋を不能とし、又該状態から押釦９，９を内方へ押込むと係合爪10,10 が横孔21,21 から外れて補助蓋の開蓋が可能となり、図８が示すように弯曲板20,20 を外方へ弾性反転させた状態では、係合爪10,10 は横孔21,21 から外れた位置にある。
【００１５】
既述構成において、安全キャップとして子供が開蓋しないようにする場合は、図１、図６のように係合爪10,10 を係止部16,16 へ係合させておく。該状態から補助蓋13を開蓋するためには押釦９，９を内方へ押込み、係止部16,16 から係合爪10,10 を外す操作が必要となり、よって幼い子供には開蓋できない。
【００１６】
安全キャップとして使用する必要がない場合は、図３、図８が示すように常に係止部から係合爪が離れた状態に位置させることが可能に、弯曲帯板19ないし弯曲板20を、補助蓋外方側へ弾性反転させておけばよい。
【００１７】
既述第１、第２実施形態は、押釦９を各左右一対としたが、以下説明するように１個とすることも出来る。
【００１８】
図９から図１１は第３実施形態を示す。該実施形態はキャップ本体１の前部へ押釦９を設けた例を示す。この場合は補助蓋周壁12の前部に弯曲帯板19を形成する。
【００１９】
図１０が示すようにその弯曲帯板19を周壁12内方へ弾性反転させておくことで、係合爪10は弯曲帯板19上面が形成する係止部16へ係合しており、よって該状態では押釦９上部をキャップ本体内方側へ押込みして係合爪10を係止部16から外さない限り補助蓋13を開蓋することは不能である。
【００２０】
非安全キャップとして使用する場合は図１１のように弯曲帯板19を周壁12外方側へ弾性反転させておけばよい。
【００２１】
図１２と図１３とは第４実施形態を示す。
【００２２】
該実施形態は、既述第２実施形態に対応するもので、押釦９および弯曲板20をそれぞれ１個とし、それぞれキャップ本体および補助蓋周壁12の前部に設けている。
【００２３】
図１２は弯曲板20を補助蓋周壁の内方へ弾性反転させて安全キャップとした状態を示し、該状態では押釦９上部を内方へ押込み、弾性変形させて係合爪10を横孔21から外さない限り補助蓋13の開蓋は不能である。
【００２４】
非安全キャップとして使用する場合は図１３が示すように弯曲板20を周壁外方側へ弾性反転させ、横孔21から係合爪10を外しておけばよい。
【００２５】
上記第３、第４実施形態は、第１、第２実施形態に準ずるものであり、同一部分については同一符号を付することで説明を省略する。
【００２６】
図示のように押釦９および弯曲帯板19、弯曲板20をキャップ前面側へ設けることで、安全キャップとして使用する際の押釦押込み操作と補助蓋開蓋操作が容易となる。
【００２７】
尚既述安全キャップは合成樹脂材により一体成形させている。
【００２８】
【発明の効果】
本発明は既述構成とするもので、弾性弯曲帯板19,19 ないし弾性弯曲板20,20 を、内方へ弾性反転させておけば安全キャップとして使用でき、又外方へ弾性反転させておけば、通常のキャップとして使用することが出来る便利がある。
【図面の簡単な説明】
【図１】  安全キャップとした状態で示す、本発明キャップの断面図である。
【図２】  図１キャップを、補助蓋開蓋状態で示す斜視図である。
【図３】  図１キャップを非安全キャップとした状態で示す断面図である。
【図４】  図３キャップを補助蓋開蓋状態で示す斜視図である。
【図５】  図１の安全キャップ状態から押釦押込みにより安全装置を外した状態で示す断面図である。
【図６】  別実施形態により安全キャップとした状態で示す断面図である。
【図７】  図６キャップを補助蓋開蓋状態で示す斜視図である。
【図８】  図６キャップを非安全キャップとした状態で示す断面図である。
【図９】  第３実施形態により、安全キャップとした状態で示す斜視図である。
【図１０】図９キャップを閉蓋して示す断面図である。
【図１１】図１０キャップを非安全キャップとして示す断面図である。
【図１２】第４実施形態により、安全キャップとした状態で示す断面図である。
【図１３】図１２キャップを非安全キャップとした状態で示す断面図である。
【符号の説明】
１…キャップ本体              ８…割溝
13…補助蓋                    16…係止部
19…弯曲帯板                  20…弯曲板
21…横孔
【図１】
0004056723.tif 000002
【図２】
0004056723.tif 000003
【図３】
0004056723.tif 000004
【図４】
0004056723.tif 000005
【図５】
0004056723.tif 000006
【図６】
0004056723.tif 000007
【図７】
0004056723.tif 000008
【図８】
0004056723.tif 000009
【図９】
0004056723.tif 000010
【図１０】
0004056723.tif 000011
【図１１】
0004056723.tif 000012
【図１２】
0004056723.tif 000013
【図１３】
0004056723.tif 000014